(57)【要約】【課題】機器接続用のターミナルブロックにおいて２種類の端子を重ねて接続させる際に、後に取付ける方の端子が先に取付ける方の端子の内側に潜り込んだり、跳ね上げたりするのを、簡易な構造のもので防止できる端子の接続構造を提供する。【解決手段】コンデンサバスバー端子２０の先端部には、インバータターミナルブロック１０に向け内側に折曲された潜り込み防止部２２が形成され、ターミナルブロック１０の、インバータコネクタ端子３０に対面するナット１２Ａ近傍の側面には、該インバータコネクタ端子３０が侵入する方向に沿って外方に突出したガイドリブ１７が形成されている。【選択図】図４
2011065815.tif 000002
【特許請求の範囲】
【請求項１】
ターミナルブロックに備わるブロック端子固定部群のうちの少なくとも一部のブロック端子固定部に、該ブロック端子固定部に向けて異なる方向から侵入させた２種の端子を積層させ、前記ブロック端子固定部と前記２種の端子とをボルトで一体に締結させて組付ける端子の接続構造であって、
前記２種の端子のうちの前記ブロック端子固定部に先に侵入させる端子の先端部には、前記ターミナルブロックに向け内側に折曲された潜り込み防止部が形成され、
前記ターミナルブロックの、後に侵入させる端子に対面する前記ブロック端子固定部近傍の側面には、該後に侵入させる端子が侵入する方向に沿って外方に突出したガイドリブが形成され、
前記ガイドリブは、前記ブロック端子固定部に積層された状態の先に侵入させた端子を上面視した際の、該先に侵入させた端子の中央に位置している、
ことを特徴とする端子の接続構造。
【請求項２】
前記ターミナルブロックは、インバータ機器の筐体の一部のターミナルハウジングに内挿可能に取付けられたインバータターミナルブロックであり、
前記２種の端子は、インバータコネクタ用の端子及びコンデンサバスバー用の端子である、
ことを特徴とする請求項１に記載の端子の接続構造。
【発明の詳細な説明】
【技術分野】
【０００１】
本発明は、例えば電気自動車（ハイブリッドカーを含む）のモータ等の補機とＤＣ／ＡＣインバータ等のような各種の機器どうしを電気的に接続することができる機器接続用コネクタに係り、特に各種の機器接続用のターミナルブロックにおいて異なる方向から延びる２種類の端子をまとめて一体に重ね合わせて接続を行うのに好適な端子の接続構造に関するものである。
【背景技術】
【０００２】
従来、バスバーの締結構造としては、たとえば、特開２００４−２２７９２８号公報（特許文献１）、特開２０００−６７８３３号公報（特許文献２）、特開２００５−２２９７５５号公報（特許文献３）および特開平８−３２２１２５号公報（特許文献４）などに開示されているものが知られている。
【０００３】
即ち、特許文献１には、図１１に示すように、バスバー１１０の一端１１０Ａが、負の極柱１００に貫挿された後、ナット１０１によりこの極柱１００のネジ部１００Ａに螺合されることで、極柱１００に接続される一方、バスバー１１０の他端１１０Ｂが、図示外の電源回路遮断器に接続された構造のものが記載されている。なお、同図において、符号１２０は合成樹脂製のホルダー、１２１はバスバー１１０をシールするバスバーシール部、１３０はリチウムイオン電池（二次電池）、１４０はサービスプラグ取付部を示す。
【先行技術文献】
【特許文献】
【０００４】
【特許文献１】特開２００４−２２７９２８号公報
【特許文献２】特開２０００−６７８３３号公報
【特許文献３】特開２００５−２２９７５５号公報
【特許文献４】特開平８−３２２１２５号公報
【発明の概要】
【発明が解決しようとする課題】
【０００５】
ところで、上記したような従来のバスバーなどの締結構造とは別に、例えば、異なる方向から侵入してきた２種類の端子を、ナットとボルトでまとめて締結させて電気的な接続を図るものが、各種の分野でしばしば見かけられる。２種類の端子をナットとボルトでまとめて締結させて電気的な接続を図るような場合には、例えば最初の端子（以下、「先端子」とよぶ）をナットの上にセットさせておいてから、その後に、その先端子の上に次の端子（以下、「後端子」とよぶ）を積層させ、その後、先後の端子の各孔にボルトを通してまとめて締結させるような接続方法がしばしば行われる。
【０００６】
このような２種の端子を積層して締結させる接続作業の場合には、後端子の先端が先端子の先端面よりも上下方向での高さ位置が低いと、後端子が先端子の内側（例えば、下側）に潜り込んでしまい、これらの端子をボルトで素早く一体に締結できない、といった問題を生じる。
【０００７】
つまり、このような２種類の端子を積層させてまとめて締結させる作業（以下、「端子の締結作業」とよぶ）を手作業で行う場合には、例えば、先端子を所定の位置に片手で固定させておきながら、後端子を積層させるようにする等の措置が必要である。また、このような端子の締結作業をロボット等により自動化させて行う場合にも、２本のハンドを有するロボット等によって、作業者が手作業で行うのと同様の積層作業を行わせることが必要であり、締結作業に手間取り、作業能率が低下する虞があった。
【０００８】
さらに、このような端子の締結作業の際に、先端子の先端面に対して後端子の先端面が平行でないときには、たとえ双方の端子の先端の高さがほぼ一致している場合であっても、後端子の先端が先端子の先端に突き当たって先端子の先端側を跳ね上げる（以下、これを「ど突く」とよぶ場合もある）等といったトラブルを招く虞もある。
【０００９】
本発明は、上述した事情に鑑みてなされたものであり、その目的は、機器接続用のターミナルブロックにおいて２種類の端子を積層して接続させる際に、後に取付ける方の端子が先に取付ける方の端子を跳ね上げることを、簡易な構造のもので防止できる端子の接続構造を提供することにある。
【課題を解決するための手段】
【００１０】
前述した目的を達成するために、本発明に係る端子の接続構造は、下記（１）〜（２）を特徴としている。
（１）  ターミナルブロックに備わるブロック端子固定部群のうちの少なくとも一部のブロック端子固定部に、該ブロック端子固定部に向けて異なる方向から侵入させた２種の端子を積層させ、前記ブロック端子固定部と前記２種の端子とをボルトで一体に締結させて組付ける端子の接続構造であって、
前記２種の端子のうちの前記ブロック端子固定部に先に侵入させる端子の先端部には、前記ターミナルブロックに向け内側に折曲された潜り込み防止部が形成され、
前記ターミナルブロックの、後に侵入させる端子に対面する前記ブロック端子固定部近傍の側面には、該後に侵入させる端子が侵入する方向に沿って外方に突出したガイドリブが形成され、
前記ガイドリブは、前記ブロック端子固定部に積層された状態の先に侵入させた端子を上面視した際の、該先に侵入させた端子の中央に位置している、
こと。
（２）  上記（１）に記載の端子の接続構造であって、
前記ターミナルブロックは、インバータ機器の筐体の一部のターミナルハウジングに内挿可能に取付けられたインバータターミナルブロックであり、
前記２種の端子は、インバータコネクタ用の端子及びコンデンサバスバー用の端子である、
こと。
【００１１】
上記（１）の構成の端子の接続構造により、先に侵入させる端子の先端部に潜り込み防止部を設けているとともにターミナルブロックにガイドリブを設けたことによって、後に侵入させる端子の姿勢が傾いていてもガイドリブでその傾きが矯正できるので、ターミナルブロックに２種類の端子を積層して接続させる際に、後に取付ける端子が先に取付ける方の端子を跳ね上げたりする現象を防止できる。
上記（２）の構成の端子の接続構造により、ブロック端子固定部においてコンデンサバスバー端子とインバータコネクタ端子とを積層する際に、先に侵入させる端子の先端部に潜り込み防止部を設けているとともにターミナルブロックにガイドリブを設けている。従って、このターミナルブロックに２種類の端子を重ねて接続させる際に、後に装着させる方の端子の姿勢が傾いていてもガイドリブでその傾きが矯正できるので、後に取付ける方の端子が先に取付ける方の端子を跳ね上げたりする現象を防止できる。
【発明の効果】
【００１２】
本発明の端子の接続構造は、先に侵入させる端子の先端部に潜り込み防止部を設けているとともに機器接続用のターミナルブロックにガイドリブを設けたことによって、このターミナルブロックにおいて２種類の端子を重ねて接続させる際に、後に侵入させる端子の姿勢が傾いていてもガイドリブでその傾きが矯正できるので、後に取付ける方の端子が先に取付ける方の端子を跳ね上げたりする現象を防止できる、という利点がある。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明に係る端子の接続構造が適用されたインバータターミナルブロック装置の分解斜視図である。
【図２】そのインバータターミナルブロック装置及びその周辺部分の要部を示す説明図である。
【図３】（Ａ）及び（Ｂ）は、それぞれ、本発明の実施形態に係るインバータターミナルブロック装置に用いるコンデンサバスバー端子の要部平面図及び（Ａ）におけるＩＩＩＢ−ＩＩＩＢ線矢視断面図である。
【図４】そのコンデンサバスバー端子が搭載されたインバータターミナルブロック装置におけるインバータターミナルブロックの要部を示す平面図である。
【図５】（Ａ）〜（Ｃ）は、それぞれ、図４におけるＶＡ−ＶＡ線断面図〜ＶＣ−ＶＣ線断面図である。
【図６】本発明の実施形態に係るインバータターミナルブロック装置の組み立て手順の初めの状態を示す説明図である。
【図７】本発明の実施形態に係るインバータターミナルブロック装置の組み立て手順の途中の状態を示す説明図であり、（Ａ）はその要部平面図、（Ｂ）は（Ａ）の進行状態から僅かに経過した後の、インバータコネクタ端子の姿勢が矯正された直後の状態を示す断面図である。
【図８】本発明の実施形態に係るインバータターミナルブロック装置の組み立て手順で組み立てを終えた状態を示す説明図である。
【図９】本発明の実施形態に係るインバータターミナルブロック装置に対する比較例での要部構成を示す平面図である。
【図１０】（Ａ）及び（Ｂ）は、それぞれ、図９に示す比較例を用いた場合の不都合を示す要部断面である。
【図１１】従来の端子の接続構造を示す要部斜視図である。
【発明を実施するための形態】
【００１５】
図１及び図２は、本発明の第１の実施形態に係る端子の接続構造が適用された端子の接続装置を構成する、インバータターミナルブロック装置１を示すものであり、例えばハイブリッド車（或いは電気自動車）などのような自動車内部に設置されるこのインバータターミナルブロック装置１は、インバータターミナルブロック１０と、コンデンサバスバー端子２０と、インバータコネクタ端子３０と、モータなどのような電装機器との接続用コネクタ端子（以下、「電装機器コネクタ端子」とよぶ）４０と、を備えている。
【００１６】
インバータターミナルブロック１０は、プラスチック樹脂などの適宜の絶縁性材料で形成されている。本実施形態のインバータターミナルブロック１０は、脚部１８を設けたブリッジ形状を有する本体１１と、本体１１の上面１１Ａにライン状に複数配設されたブロック端子固定部群１２と、本体１１の一側面１１Ｂから突設された端子取付部１３と、（後述のインバータ端子４２を３本で１組とした都合２組からなる）電装機器コネクタ端子４０のインバータ端子４２を各組ごとにまとめてを囲設するよう、本体１１の上面１１Ａから上方に突設した板状のカバー部１４と、ブロック端子固定部群１２の一部（ブロック端子固定部）を構成する２箇所のナット１２Ａの設置部位に対応して、本体１１の一側面１１Ｂから突出する２つのステージ１５と、これらの互いに隣接するステージ１５及び上述の２箇所のナット１２Ａの境界部分に設けた仕切壁１６と、ステージ１５の外縁部に一体に形成されたガイドリブ１７と、を備えている。
【００１７】
本実施形態のインバータターミナルブロック１０は、例えば図２に示すインバータの筐体の一部（以下、「ターミナルハウジング３Ａ」と呼ぶ）などに収容されることで、予め設定された所定位置に所定の高さで設置されており、脚部１８が図示外のボルトでターミナルハウジング３Ａに固設されている。
【００１８】
ブロック端子固定部群１２は、端子接続用の固定手段（ここではナットを用いる）であるブロック端子固定部を複数備えた構成のものであり、本実施形態ではこのブロック端子固定部を構成する４個のナット１２Ａを本体１１の上面１１Ａに備える。これらのナット１２Ａは、本体１１の上面１１Ａに上面部分を残して埋設された状態に固設する。
【００１９】
これらの４個のナット１２Ａのうちの２個のナット１２Ａがコンデンサバスバー端子２０とインバータコネクタ端子３０とを積層させるために用いられるものである。即ち、本実施形態では、２個のナット１２Ａによって、正負一対のコンデンサバスバー端子２０と、これに対応して設けたインバータコネクタ端子３０と、をそれぞれ一体に積層させてボルトで締結させる。
【００２０】
また、本実施形態では、図示外の一対の３相交流モータ（第１、第２モータ）の制御用端子及び図示外の一対のインバータ（第１、第２インバータ）の出力端子を集積させてそれぞれボルトで締結させるために、さらに６個のナットを、本体１１の上面１１Ａに上面部分を残して埋設された状態に固設する。
【００２１】
なお、上述の４個のナット１２Ａ及び６個のナット（６個のナットの方は電装機器コネクタ端子４０Ａ、４０Ｂのに隠れて見えない）は、インバータターミナルブロック１０を絶縁性材料からなる適宜のプラスチック樹脂で形成させる際に、インサート成型によって一体に固設させた状態で取付けてある。
【００２２】
端子取付部１３は、１組３個のものからなる２組の電装機器コネクタ端子４０を個別に１個ずつ分離絶縁させた状態で配置させるために、各組の電装機器コネクタ端子４０Ａ，４０Ｂの両端側のものを、それぞれ個別に挿入・装着させるものである。なお、本実施形態の端子取付部１３は、インバータターミナルブロック１０と一体に形成されている。
【００２３】
ステージ１５は、コンデンサバスバー端子２０の貫通孔２３の周辺が、図５（Ｂ）に示すように、インバータターミナルブロック１０の本体１１の上面１１Ａに設けたナット１２Ａに密着若しくは密接した状態（以下、これを「水平姿勢」と呼ぶ）で搭載させることができるようにするために設置されている。即ち、コンデンサバスバー端子２０の先端部に形成された、後述する潜り込み防止部を構成する舌片２２が、インバータターミナルブロック１０の本体１１の上面１１Ａに係止するような事態を避けるために、上面１１Ａの縁部から少なくとも舌片２２の突出量ｄ（図３（Ｂ）参照）以上の深さで降下した段部で構成されている。
【００２４】
ステージ１５は、図４に示すように、コンデンサバスバー端子２０の幅（Ｙ）方向に関し、ナット１２Ａの孔１２１の中心を通りインバータターミナルブロック１０の本体１１の側面１１Ｂに対して直交（Ｘ）方向に延びる線（以下、「中央線」とよぶ）から、コンデンサバスバー端子２０の左右両側面のうち、先端部の舌片２２が形成されている方の端部（図４では右側面）に至るまでの領域内に偏って形成されている。換言すれば、コンデンサバスバー端子２０の幅方向に関して片側半分（図４では右半分）の領域に対応して形成されている。
【００２５】
仕切壁１６は、並設する２組の端子間でショートしないように電気的に絶縁分断させるため、前述したように、絶縁性材料で形成するインバータターミナルブロック１０の本体１１と一体に形成されている。なお、この仕切壁１６は、側面１１Ｂ（反対側の側面に対しても同様）に対して直交するＸ方向に平行な配置状態で形成されている。コンデンサバスバー端子２０やインバータコネクタ端子３０が、それぞれ＋Ｘ方向及び−Ｘ方向に平行に進行せずに、ずれた状態で進入する場合には、この仕切壁１６がガイドすることでその進行方向を矯正させることもできる。
【００２６】
ガイドリブ１７は、特に、後に侵入させる方の端子であるインバータコネクタ端子３０が進行する際の、インバータコネクタ端子３０が対面するインバータターミナルブロック１０の側面、つまり前述の側面１１Ｂにおいて、インバータコネクタ端子３０が侵入する方向に沿って外方に突出して形成されている。さらに、図４に示すように、ガイドリブ１７は、ナット１２Ａに積層された状態のコンデンサバスバー端子２０を上面視した際に、該コンデンサバスバー端子２０の中央に位置している。ガイドリブ１７の具体的な形状については、図４の断面図である図５（Ａ）〜（Ｃ）に記載のような構造を有するものであって、上面１７Ａの高さが図５（Ｂ）に示すように、インバータターミナルブロック１０の本体１１の上面１１Ａと同じになるように面一となっている。
【００２７】
このような配置で形成されたガイドリブ１７は、インバータコネクタ端子３０の上下面での姿勢が崩れて、例えば、図９及び図１０に示すような（上）下面がＸ−Ｙ平面に平行となっていない場合には、インバータコネクタ端子３０が進行する際に、その下面の中央部がガイドリブ１７に接触することにより上方へ起こされる。（図７（Ａ）参照）。これにより、インバータコネクタ端子３０の下面が本体１１の上面１１Ａに平行、つまり、コンデンサバスバー端子２０の上面に平行となるように、その姿勢が矯正された状態で、ナット１２Ａに向けて侵入するわけである。
【００２８】
コンデンサバスバー端子２０は、図示外の発電機で回生された電力を蓄電させるコンデンサ（図略）との電気的接続を図るものであって、一端側がコンデンサの出力端子（図略）に接続されている。また、このコンデンサバスバー端子２０は、ここから出力される大電流をインバータへ給電させるために、インバータターミナルブロック１０において、他端側がインバータコネクタ端子３０と接続されている。
【００２９】
また、コンデンサバスバー端子２０のインバータコネクタ端子３０との具体的な接続態様については、以下のようになっている。
即ち、これらの端子２０、３０どうしは、上下に積層させるとともに、ブロック端子固定部群１２のナット１２Ａにこれらの端子２０、３０の貫通孔を貫通させるようにして適正位置に搭載させ、ボルト１９をナット１２Ａに螺合させて一体に締結させる。このため、コンデンサバスバー端子２０には、インバータコネクタ端子３０と同様に、ボルト１９が貫通する貫通孔２３が先端側に穿設されている。なお、これら２端子（コンデンサバスバー端子２０とインバータコネクタ端子３０）の積層については、先にコンデンサバスバー端子２０の方をナット１２Ａの上に載置させてから、その上に、インバータコネクタ端子３０を積層させるようにする。
【００３０】
ブロック端子固定部群１２のナット１２Ａに向って先に侵入させる端子であるコンデンサバスバー端子２０には、潜り込み防止部を構成する舌片２２が形成されている。本実施形態の舌片２２は、図３に示すように、ターミナルブロック１０の本体１１に向けて内側（図１では下方）方向にカーブするように折曲されており、先端部の一方側の端部に偏った状態で形成されている。換言すれば、舌片２２は、コンデンサバスバー端子２０の先端部の幅方向について中央部までには至らず（或いは最大でも中央部まで）、幅方向の片側のみに形成されている。この舌片２２は、少なくとも、後述する隙間α（図５参照）以上の寸法ｄ（但し、ｄ＞α）で、コンデンサバスバー端子２０の上面２１から下方へ向けて滑らか（例えばＲ状など）に湾曲した形状（又は円弧状）で突出している。
【００３１】
しかも、この舌片２２は、コンデンサバスバー端子２０の厚さ方向（上面２１に対して垂直下方向）ではなく、やや外側方向に角度θで傾斜した斜面となるような形状に形成されている。
【００３２】
インバータコネクタ端子３０は、本実施形態のインバータターミナルブロック装置１が積載される図示外の１対の３相交流モータに対する駆動電流を生成する、図示外の一対のインバータの入力端子との接続を図るためのものであって、２個一対のものを２組設けた構成となっている。このインバータコネクタ端子３０には、先端部にボルト１９が貫通する貫通孔３１（図７（Ａ）参照）を穿設している。また、このインバータコネクタ端子３０には、半田等で電線（以下、「インバータ電線４」と呼ぶ）の一端部と接続された基端部に、図２に示すように電線保持部３２が形成されている。なお、このインバータ電線４の他端側は、図示外のインバータの入力端子に接続されている。
【００３３】
図示しないインバータは、図示外の３相交流モータに対する駆動電流を生成するものであって、図２に示すインバータハウジング３に収容されており、このインバータハウジング３の壁面等には、ターミナルハウジング３Ａが一体に形成されている。
【００３４】
電装機器コネクタ端子４０は、インバータと三相交流モータとの間の接続を図るためのものであって、図１に示すように、インバータターミナルブロック１０の本体１１の上面から側面１１Ｂに沿い下方に向けて延びるように配置されている。本実施形態の電装機器コネクタ端子４０は、３本１組のものを２組、つまり第１インバータと第１三相交流モータとの接続用の第１コネクタ端子４０Ａ、及び第２インバータと第２三相交流モータとの接続用の第２コネクタ端子４０Ｂ、で構成されている。
【００３５】
各電装機器コネクタ端子４０は、細長い板状の導電性材料で形成されて中間部が断面略Ｓ字状（又は略ヘ字状）に折曲されており、一端部（図１では上端部）に３相交流モータの駆動制御端子（図示せず）に接続させるための端子部（以下、「モータ端子部」とよぶ）４１を設けているとともに、他端部（図１では下端部）にインバータの出力端子に接続させるための端子部（以下、「インバータ端子部」とよぶ）４２を設けている。
【００３６】
なお、モータ端子部４１及びインバータ端子部４２にも、コンデンサバスバー端子２０及びインバータコネクタ端子３０の場合と同様に、端部に図示外のボルトが貫通可能な貫通孔４１Ａ及び貫通孔４２Ａが穿設されている。
【００３７】
次に、本実施形態のインバータターミナルブロック装置１の組付け方法について説明する。特に、ここでは、インバータターミナルブロック１０の本体１１の上面１１Ａにおいて、コンデンサバスバー端子２０及びインバータコネクタ端子３０を積層させた後、ボルト１９で締結させて双方の端子を接続させるときの接続手順について詳しく説明する。
【００３８】
初めに、コンデンサの出力端子に接続されているコンデンサバスバー端子２０を、図４（Ａ）に示すようにインバータターミナルブロック１０の本体１１の上面１１Ａに設けたナット１２Ａの上に正しく位置を合わせてセットする。つまり、コンデンサバスバー端子２０の貫通孔２３と、ナット１２Ａの孔とが一致するよう、コンデンサバスバー端子２０をナット１２Ａに向けて侵入させ、ナット１２Ａ上に積層させる。
【００３９】
次に、コンデンサバスバー端子２０の上に、インバータコネクタ端子３０を正しく位置合わせした状態で積層させる。つまり、インバータコネクタ端子３０についても、その貫通孔３１がコンデンサバスバー端子２０の貫通孔２３及びナット１２Ａの孔と一致するよう、インバータコネクタ端子３０をナット１２Ａに向けて侵入させ、コンデンサバスバー端子２０上に積層させる。
【００４０】
このような状態で、インバータコネクタ端子３０の上からボルト１９を挿し込んでセットする。そして、ボルト１９の先を、インバータコネクタ端子３０及びコンデンサバスバー端子２０の順で、各貫通孔３１，２３を貫通するように挿入して、ナット１２Ａに螺合させる。
【００４１】
ここで、コンデンサバスバー端子２０は、図示外の車体の所定の場所に取付けてある筐体、即ちコンデンサハウジング２（図２参照）において、そこに収容される図示外のコンデンサの出力端子に図示外の他端が接続されている。同様に、インバータターミナルブロック１０も、図示外の車体の所定の場所に取付けてある筐体、即ちインバータハウジング３において、その壁面等に一体に設けたターミナルハウジング３Ａに収容されている。
【００４２】
ところで、このような配置関係にあるコンデンサバスバー端子２０とターミナルハウジング３Ａに収容されたインバータターミナルブロック１０の本体上面１１Ａ（正確には、ナット１２Ａの上面）との間には、通常、図７（Ｂ）に示すように公差の範囲内で隙間αが発生している場合がある。
【００４３】
インバータターミナルブロック１０の本体上面１１Ａにて待ち受けているコンデンサバスバー端子２０に対して、インバータコネクタ端子３０をその先端３０Ａから差し込んで積層させる際に、例えば仮に、その隙間αが殆どゼロに近い状態であるものとする。その場合には、図６、図７（Ｂ）、及び図８に示すように、コンデンサバスバー端子２０の上に、インバータコネクタ端子３０が問題なくスムースに配置される。
【００４４】
一方、インバータターミナルブロック１０の本体上面１１Ａに公差内の範囲で隙間αが形成されている場合であって、インバータコネクタ端子３０の先端面が、図９の断面図である図１０に示すように、インバータターミナルブロック１０の本体１１の上面１１Ａに対して平行ではなく傾いて送り込まれているようなときも考えられる。この場合の端子どうしの接続手順については、図９及び図１０と比較しながら説明する。
【００４５】
初めに、図９及び図１０に示す比較例から説明する。なお、図９に示すインバータターミナルブロック５０は、本実施形態のインバータターミナルブロック１０の機能を理解するため、比較例として参考のために記載したものである。
この比較例でのインバータターミナルブロック５０が、図４に示す本実施形態のものと異なる点は、ナット１２Ａに対応して設けたステージ５１がナット１２Ａの中心を通過する中心線（図９に示すＸ−Ｘ線に同じ）を基準として左右対称に配置されているとともに、そのステージ５１の左右両側の縁部にガイドリブ５２を形成させたものである。また、ここで用いるコンデンサバスバー端子６０には、本願発明のものとは異なり、左右いずれかの側面に沿って舌片を設けるのではなく、先端中央部に舌片６２を形成してある。
【００４６】
このような構成のインバータターミナルブロック５０では、図１０（Ａ）に示すように、インバータコネクタ端子３０が、仮にインバータターミナルブロック５０の上面５０Ａに対して平面状態でなく斜めに傾斜した姿勢で進行すると、図９及び図１０（Ｂ）に示すように、コンデンサバスバー端子６０の先端に接触すると、インバータコネクタ端子３０がその先端を上方に押し上げるような現象が発生する。その結果、インバータコネクタ端子３０の先端３０Ａがコンデンサバスバー端子６０の下面に潜り込んでしまう虞がある。
【００４７】
一方、図４に示す本実施形態のインバータターミナルブロック１０では、図７（Ａ）に示すように、インバータコネクタ端子３０の先端３０Ａがガイドリブ１７に接触し、ガイドリブ１７によってガイドされることで、平行面の場合に比べて下方へ下がっていた下面が起こされる。これによって、インバータコネクタ端子３０は、インバータターミナルブロック１０の本体１１の上面１１Ａに平行な姿勢に矯正される。その結果、図１０（Ｂ）のような、インバータコネクタ端子３０の先端がコンデンサバスバー端子２０先端に突き当たって上方へ反り返されるような、ど突き現象の発生が抑えられる。
【００４８】
従って、その後は、図７（Ｂ）に示すように、インバータコネクタ端子３０の先端３０Ａが舌片２２に突当たると、その舌片２２が外方へ滑らかに傾斜している外面（上面２１）に案内されている。そして、この上面２１に摺動しながら所定位置まで進入し、図８に示すように、コンデンサバスバー端子２０の上面２１に積層される。従って、インバータコネクタ端子３０がコンデンサバスバー端子２０の下側に潜り込んで、接続ミス等のトラブルが発生するを回避できる。
【００４９】
なお、本発明は上述した実施形態に何ら限定されるものではなく、その要旨を逸脱しない範囲において種々の形態で実施し得るものである。
【符号の説明】
【００５０】
１    インバータターミナルブロック装置
２    コンデンサハウジング（筐体）
３    インバータハウジング（筐体）
３Ａ    ターミナルハウジング
４    インバータ電線
１０    インバータターミナルブロック（ターミナルブロック）
１１    本体
１１Ａ    上面
１１Ｂ    一側面
１２    ブロック端子固定部群
１２Ａ    ナット（ブロック端子固定部）
１３    端子取付部
１４    カバー部
１５    ステージ
１６    仕切壁
１７    ガイドリブ
１８    脚部
１９    ボルト
２０    コンデンサバスバー端子
２１    上面
２２    舌片（潜り込み防止部）
２３    貫通孔
３０    インバータコネクタ端子
３１    貫通孔
３２    電線保持部
４０    電装機器コネクタ端子
４０Ａ    第１コネクタ端子
４０Ｂ    第２コネクタ端子
４１    モータ端子部
４２    インバータ端子
５０    インバータターミナルブロック
６０    コンデンサバスバー端子
ｄ    舌片（潜り込み防止部）の突出量
α    隙間
【図１】
2011065815.tif 000003
【図２】
2011065815.tif 000004
【図３】
2011065815.tif 000005
【図４】
2011065815.tif 000006
【図５】
2011065815.tif 000007
【図６】
2011065815.tif 000008
【図７】
2011065815.tif 000009
【図８】
2011065815.tif 000010
【図９】
2011065815.tif 000011
【図１０】
2011065815.tif 000012
【図１１】
2011065815.tif 000013